(57)【特許請求の範囲】
【請求項１】
テレビに含まれるチューナー回路において、
アンテナから受信される信号を遮断するため、バイアス電圧に応答してターンオン／オフされるように構成されたスイッチング部と、
前記スイッチング部を通過した信号のうち高周波成分だけを通過させるハイパスフィルター部と、
前記ハイパスフィルター部を通過した信号を増幅して出力する低ノイズ増幅器と、を含み、
前記バイアス電圧は使用者により前記テレビがターンオンされる時に印加され、
前記スイッチング部はダイオード、第１抵抗及び第２抵抗を含み、
前記ダイオードは前記ダイオードのカソードが前記アンテナに向かい、前記ダイオードのアノードが前記ハイパスフィルター部に向かうように配置され、前記第１抵抗は前記ダイオードのカソードとグラウンドとの間に連結され、前記第２抵抗は前記ダイオードのアノードとバイアス電圧との間に連結され、
前記スイッチング部は、
前記テレビがターンオフされて、前記バイアス電圧が印加されないと、前記アンテナから受信された前記信号を前記ハイパスフィルター部に送信することを遮断するように前記ダイオードがターンオフされ、
前記ハイパスフィルター部は前記スイッチング部の後端にのみ位置することを特徴とするチューナー回路。
【請求項２】
テレビに含まれるチューナー回路において、
アンテナから受信される信号を遮断するため、バイアス電圧に応答してターンオン／オフされるように構成されたスイッチング部と、
前記スイッチング部を通過した信号のうち高周波成分だけを通過させるハイパスフィルター部と、
前記ハイパスフィルター部を通過した信号を増幅して出力する低ノイズ増幅器と、を含み、
前記バイアス電圧は使用者により前記テレビがターンオンされる時に印加され、
前記スイッチング部はダイオード及び抵抗を含み、
前記ダイオードのアノードが前記アンテナに向かうように配置され、前記ダイオードのカソードが前記ハイパスフィルター部に向かうように配置され、前記ダイオードのアノードと前記バイアス電圧との間に前記抵抗が連結され、
前記スイッチング部は、
前記テレビがターンオフされて、前記バイアス電圧が印加されないと、前記アンテナから受信された前記信号を前記ハイパスフィルター部に送信することを遮断するように前記ダイオードがターンオフされ、
前記ハイパスフィルター部は前記スイッチング部の後端にのみ位置することを特徴とするチューナー回路。
【請求項３】
前記スイッチング部は、
前記テレビがターンオンされて前記バイアス電圧が印加されると、前記アンテナから受信された前記信号を前記ハイパスフィルター部に送信するように前記ダイオードはターンオンされることを特徴とする請求項１または２に記載のチューナー回路。
【請求項４】
前記バイアス電圧は前記第２抵抗に印加されることを特徴とする請求項１に記載のチューナー回路。
【請求項５】
前記バイアス電圧は前記抵抗に印加されることを特徴とする請求項２に記載のチューナー回路。
【請求項６】
テレビに含まれるチューナー回路において、
アンテナから受信される信号の直流成分を遮断するように構成された直流遮断部と、
スイッチング素子及び複数の抵抗を含み、前記信号を伝送するためバイアス電圧に応答してターンオン／オフされるように構成されたスイッチング部と、
前記スイッチング部を通過した信号のうち高周波成分だけを通過させるハイパスフィルター部と、
前記ハイパスフィルター部を通過した信号を増幅して出力する低ノイズ増幅器と、を含み、
前記バイアス電圧は使用者により前記テレビがターンオンされる時に印加され、
前記スイッチング部は、前記スイッチング素子が前記直流遮断部と前記ハイパスフィルター部との間に直流連結され、前記複数の抵抗のうち一つは前記直流遮断部と前記スイッチング素子との間に接続され、前記複数の抵抗のうち他の一つは前記スイッチング素子と前記ハイパスフィルター部との間に連結され、
前記テレビがターンオフされて、前記バイアス電圧が印加されないと、前記アンテナから受信された前記信号を前記ハイパスフィルター部に送信することを遮断するように前記スイッチング素子がターンオフされ、
前記ハイパスフィルター部は前記スイッチング部の後端にのみ位置することを特徴とするチューナー回路。
【請求項７】
前記スイッチング部は、
前記テレビがターンオンされて前記バイアス電圧が印加されると、前記アンテナから受信された前記信号を前記ハイパスフィルター部に送信するように前記スイッチング素子がターンオンされることを特徴とする請求項６に記載のチューナー回路。
【請求項８】
前記スイッチング素子は逆方向に配置され、前記バイアス電圧は前記複数の抵抗のうち他の一つに印加されることを特徴とする請求項６または７に記載のチューナー回路。
【発明の詳細な説明】
【技術分野】
【０００１】
本発明は、チューナー回路に関する。
【背景技術】
【０００２】
一般に、チューナーはアンテナから受信された高周波信号から望む放送チャネルを選択して受信する装置であって、前記チューナーは、受信帯域が数十ＭＨｚ〜数百ＭＨｚに至るＶＨＦ帯域と、数百ＭＨｚ〜数十ＧＨｚに至るＵＨＦ帯域を選択して受信するようになり、前記ＶＨＦ帯域はＶＨＦ−Ｌと、ＶＨＦ−Ｈ帯域に区分選択して受信するようになる。
【０００３】
しかし、従来のチューナー回路では、電源が遮断された状態でアンテナ（ＡＮＴ）に受信される高周波信号がグラウンドに漏洩する問題が発生する。
【０００４】
また、テレビの場合、ＥＮ５５０３０  Ｓ４テストを通過すなければならず、Ｓ４テストはテレビ電源をオフ（ｏｆｆ）した状態でテストを実施するので、インピーダンスマッチングが難しく信号漏洩が発生してＳ４が弱まる問題点がある。
【０００５】
このような問題を解決するためには、テレビアンテナグラウンド補強が必要であるが、グラウンド補強が容易ではなくコストが多くかかる問題点がある。
【０００６】
特に、近年はテレビの火災を防止するために外部ケーブルとグラウンドが分離しているのでグラウンド補強がさらに難しい。
【発明の概要】
【発明が解決しようとする課題】
【０００７】
本発明が解決しようとする技術的課題は、電源が遮断された状態でアンテナに受信される高周波信号がグラウンドに流れることを防止するチューナー回路を提供することである。
【課題を解決するための手段】
【０００８】
前記のような技術的課題を解決するために、本発明の一実施例のチューナー回路は、バイアス電圧によりオン/オフされてアンテナから入力される信号を遮断するスイッチング部と、前記スイッチング部を通過した信号のうち高周波成分だけを通過させるハイパスフィルター部と、前記ハイパスフィルター部を通過した信号を増幅して出力する低ノイズ増幅器と、を含むことができる。
【０００９】
前記スイッチング部は、ダイオードを含んでもよい。
【００１０】
前記スイッチング部は、バイアス電圧が印加されない時オフされてアンテナで受信された信号が前記ハイパスフィルター部に伝達されるのを遮断することができる。
【００１１】
前記ダイオードは順方向または逆方向に配置されてもよい。
【００１２】
前記スイッチング部は、カソード側が前記アンテナ側に位置してアノード側が前記フィルター部側に位置するように配置されるダイオードと、前記カソード側ノードに並列に連結される第１抵抗と、前記アノード側ノードに並列に連結される第２抵抗と、を含んでもよい。
【００１３】
前記第２抵抗にバイアス電圧が印加されてもよい。
【００１４】
前記スイッチング部は、アノード側が前記アンテナ側に位置してカソード側が前記ハイパスフィルター部側に位置するように配置されるダイオードと、前記アノード側ノードに並列に連結される第３抵抗と、を含んでもよい。
【００１５】
前記第３抵抗にバイアス電圧が印加されてもよい。
【発明の効果】
【００１６】
テレビのアンテナグラウンド補強のために追加的な部品を使用しなくてもアンテナ信号が漏洩することを防止することができる。
【００１７】
また、十分なマージン確保で量産時、偏差による不良率を低くすることができる。
【図面の簡単な説明】
【００１８】
【図１】チューナー回路を示した回路図。
【図２】本発明の一実施例に係るチューナー回路を示した回路図。
【図３】本発明の他の一実施例に係るチューナー回路を示した回路図。
【発明を実施するための形態】
【００１９】
本発明は、多様な変更を加えることができ、様々な実施例を持つことができ、特定実施例を図面に例示して詳細な説明に詳細に説明する。しかし、これは本発明を特定の実施形態に対して限定しようとするものではなく、本発明の思想及び技術範囲に含まれるすべての変更、均等物ないし代替物を含むものと理解されなければならない。
【００２０】
以下、添付された図面を参照して本発明の一実施例のチューナー回路について詳細に説明する。
【００２１】
図１は、チューナーを示したもので、直流遮断キャパシタ（Ｃ１）、ハイパスフィルター部１１、及び低ノイズ増幅器１２を含む。
【００２２】
前記のような構成によって、アンテナ（ＡＮＴ）を介して入力される高周波信号（ＲＦ）のうち直流成分は直流遮断キャパシタ（Ｃ１）により遮断されて、直流遮断キャパシタ（Ｃ１）を通過した高周波信号は、ハイパスフィルター部１１で低周波成分はフィルタリングされて高周波成分だけ低ノイズ増幅器１２に入力されて増幅された後出力される。
【００２３】
前記のような回路構成では、テレビのオフ状態で、アンテナ（ＡＮＴ）を介して入力される高周波信号が漏洩する現象が発生するのでこれを解決する必要がある。
【００２４】
図２は、本発明の一実施例に係るチューナー回路を示した回路図である。
【００２５】
図面に示されたとおり、本発明の一実施例のチューナー回路２０は、スイッチング部２２、ハイパスフィルター部２４、及び低ノイズ増幅器２６を含んでもよい。
【００２６】
アンテナ（ＡＮＴ）と前記スイッチング部２２との間には、直流遮断キャパシタ（Ｃ１）が配置されてもよく、前記ハイパスフィルター部２４と低ノイズ増幅器２６との間には静電気放電素子（Ｄ２、Ｅｌｅｃｔｒｏｓｔａｔｉｃ  Ｄｉｓｃｈａｒｇｅ、ＥＳＤ）が配置されてもよい。
【００２７】
但し、これはチューナー回路の入力端子だけを簡略に表示したものであって、前記構成の他に構成要素をさらに含んでもよいことが、本発明が属する技術分野で通常の知識を有する者には自明な事項である。
【００２８】
前記直流遮断キャパシタ（Ｃ１）は、アンテナ（ＡＮＴ）から受信される高周波信号（Ｒａｄｉｏ  Ｆｒｅｑｕｅｎｃｙ、ＲＦ）で直流成分を遮断する。
【００２９】
前記スイッチング部２２は、前記直流遮断キャパシタ（Ｃ１）を通過した信号がハイパスフィルター部２４に伝達されるのを遮断する機能をする。スイッチング部２２は、ダイオード（Ｄ１）、第１抵抗、及び第２抵抗を含んでもよい。この時、前記ダイオード（Ｄ１）は、前記直流遮断キャパシタ（Ｃ１）に逆方向に連結される。すなわち、ダイオード（Ｄ１）のカソード方向が直流遮断キャパシタ（Ｃ１）方向に向かうように配置されている。前記第１抵抗（Ｒ１）は、ダイオード（Ｄ１）のカソード側ノード（Ｎ１）に並列連結されて、前記第２抵抗（Ｒ２）は、ダイオード（Ｄ１）のアノード側ノード（Ｎ２）に並列連結されている。尚、前記第１抵抗（Ｒ１）の一側は、グラウンド（ＧＮＤ）されて、第２抵抗（Ｒ２）の一側は、バイアス電圧（Ｖ）と連結されて、バイアス電圧が印加される場合には、ダイオード（Ｄ１）がオンされて、バイアス電圧が印加されない時にはオフされてアンテナ信号を遮断することができる。前記バイアス電圧としては３．３Ｖが使用されてもよい。
【００３０】
前記のような構成によってバイアス電圧が印加される時、すなわち、テレビがつく時にはダイオード（Ｄ１）がオンされて、アンテナに受信された高周波信号がハイパスフィルター部２４に伝達されるが、バイアス電圧が印加されない時、すなわち、テレビがオフされる時にはダイオード（Ｄ１）がオフされてアンテナに受信された高周波信号がハイパスフィルター部２４に伝達されることが遮断されて、結果的にグラウンドに高周波信号が流れるのを遮断することができる。
【００３１】
前記ハイパスフィルター部２４は、前記スイッチング部２２を通過した信号のうち低周波成分はフィルタリングして高周波成分だけを通過させる。一般に、５０ＭＨｚ以下の信号を減殺してそれ以上の高域だけを通過させる。ハイパスフィルター部２４は、図示されたとおり、キャパシタ（Ｃ２）が前記スイッチング部２２と連結されて、キャパシタの両端にインダクター（Ｌ１）及び直列連結されたキャパシタ（Ｃ３）とインダクター（Ｌ２）が各々並列連結されている。
【００３２】
前記低ノイズ増幅器２６は、ハイパスフィルター部２４を通過した高周波成分を増幅して出力する。
【００３３】
前記ハイパスフィルター部２４と前記低ノイズ増幅器２６との間には、回路を保護するための素子として静電気放電素子（ＥＳＤ）が配置されてもよく、図示されたようにダイオード（Ｄ２）の一側がグラウンドされて静電気を放電させて回路を保護することができる。
【００３４】
以下では、前記チューナー回路２０の動作について説明する。
【００３５】
前記チューナー回路２０のアンテナ（ＡＮＴ）に高周波信号が受信されると、直流遮断キャパシタ（Ｃ１）によって直流成分は遮断されて交流成分の信号だけがスイッチング部２２に入力される。スイッチング部２２は、バイアス電圧が印加される時にはオン（ＯＮ）されてアンテナに受信された高周波信号をパスさせて、バイアス電圧が印加されない時にはオフ（ｏｆｆ）されてアンテナに受信された高周波信号が伝達されるのを遮断する。スイッチング部２２がオンされる場合、アンテナで受信された信号は、ハイパスフィルター部２４に入力されて低周波成分は弱まって高周波成分だけが低ノイズ増幅器２６に入力されて増幅された後出力される。
【００３６】
前記のような構成によってテレビがオフになっている場合には、スイッチング部２２がオフされてアンテナに受信された信号がグラウンドに漏洩するのを防止することができる。
【００３７】
図３は、本発明の他の一実施例を図示したものである。
【００３８】
本実施例によるチューナー回路３０もスイッチング部３２、ハイパスフィルター部３４、及び低ノイズ増幅器３６を含む。
【００３９】
アンテナ（ＡＮＴ）と前記スイッチング部３２との間には直流遮断キャパシタ（Ｃ１）が配置されてもよく、前記ハイパスフィルター部３４と低ノイズ増幅器３６との間には静電気放電素子（Ｄ２、Ｅｌｅｃｔｒｏｓｔａｔｉｃ  Ｄｉｓｃｈａｒｇｅ、ＥＳＤ）が配置されてもよい。
【００４０】
前記直流遮断キャパシタ（Ｃ１）は、アンテナ（ＡＮＴ）から受信される高周波信号（Ｒａｄｉｏ  Ｆｒｅｑｕｅｎｃｙ、ＲＦ）で直流成分を遮断する。
【００４１】
前記スイッチング部３２は、前記直流遮断キャパシタ（Ｃ１）を通過した信号が、ハイパスフィルター部に伝達されるのを遮断する。前記スイッチング部３２は、ダイオード（Ｄ１）及び第３抵抗（Ｒ３）を含んでもよい。前記ダイオード（Ｄ１）は、前記直流遮断キャパシタ（Ｃ１）に順方向に連結される。すなわち、ダイオード（Ｄ１）のアノード方向が直流遮断キャパシタ（Ｃ１）方向に向かうように配置されている。前記第３抵抗（Ｒ３）は、ダイオード（Ｄ１）のカソード側ノードに並列連結されて、前記第３抵抗（Ｒ３）の一側は、バイアス電圧（Ｖ）と連結される。したがって、バイアス電圧が印加される場合には、ダイオード（Ｄ１）がオンされてアンテナで受信された高周波信号をパスさせて、バイアス電圧が印加されない時にはオフされてアンテナで受信された信号が伝達されるのを遮断することができる。前記バイアス電圧としては３.３Ｖが使用されてもよい。
【００４２】
前記のような構成によってバイアス電圧が印加される時、すなわち、テレビがつく時にはダイオード（Ｄ１）がオンされてアンテナ信号がハイパスフィルター部３４に伝達されるが、バイアス電圧が印加されない時、すなわち、テレビがオフされる時にはダイオード（Ｄ１）がオフされてアンテナ信号がハイパスフィルター部３４に伝達されるのが遮断されて、結果的にアンテナで受信された高周波信号がグラウンドに流れるのを遮断することができる。
【００４３】
前記ハイパスフィルター部３４は、前記スイッチング部３２を通過した信号のうち低周波成分はフィルタリングして高周波成分だけを通過させる。一般に、５０ＭＨｚ以下の信号を減殺してそれ以上の高域だけを通過させる。ハイパスフィルター部３４は、図示されたとおりキャパシタ（Ｃ２）が前記スイッチング部３２と連結されていて、キャパシタの両端にインダクター（Ｌ１）及び直列連結されたキャパシタ（Ｃ３）とインダクター（Ｌ２）が各々並列連結されている。
【００４４】
前記低ノイズ増幅器３６は、ハイパスフィルター部３４を通過した高周波成分を増幅して出力する。
【００４５】
前記ハイパスフィルター部３４と前記低ノイズ増幅器３６との間には、回路を保護するための素子として静電気放電素子（ＥＳＤ）が配置されてもよく、図示されたようにダイオード（Ｄ２）の一側がグラウンドされて静電気を放電させて回路を保護することができる。
【００４６】
以上、本発明に係る実施例が説明されたが、これは例示的なものに過ぎず、当該分野で通常の知識を有する者ならば、これらから多様な変形及び均等な範囲の実施例が可能である点を理解するであろう。したがって、本発明の真の技術的保護範囲は、次の特許請求範囲によって定まらなければならない。
【符号の説明】
【００４７】
２２、３２:スイッチング部
２４、３４:ハイパスフィルター部
２６、３６:低ノイズ増幅器
【図１】
0006771290.tif 000002
【図２】
0006771290.tif 000003
【図３】
0006771290.tif 000004